(57)【要約】【課題】本来のインジケータの機能を維持しつつ、吸収体に含まれるＳＡＰのインジケータへの接触を防止し、吸収性物品の使用前にインジケータの一部が変色することを防止することができる、吸収性物品を提供する。【解決手段】吸収体を覆うキャリアシートと、バックシートの身体側表面に形成された水分反応性のインジケータと、キャリアシートの身体側表面に接合された非透水性シートと、を有し、非透水性シートの長手方向及び幅方向の寸法は、インジケータの長手方向及び幅方向の寸法よりも、それぞれ大きく、非透水性シートの幅方向両端部及び長手方向両端部は、いずれも、インジケータの長手方向両端部及び幅方向両端部の外側に位置している、吸収性物品を提供する。【選択図】図１
2018102870.tif 000002
【特許請求の範囲】
【請求項１】
液透過性のトップシートと、液不透過性のバックシートと、前記トップシート及び前記バックシートの間に配置される吸収体と、を有する吸収性物品であって、
前記吸収性物品は、前記吸収体を覆うキャリアシートと、前記バックシートの身体側表面に形成された水分反応性のインジケータと、前記キャリアシートの身体側表面に接合された非透水性シートと、を有し、
前記非透水性シートの長手方向及び幅方向の寸法は、前記インジケータの長手方向及び幅方向の寸法よりも、それぞれ大きく、
前記非透水性シートの幅方向両端部及び長手方向両端部は、いずれも、前記インジケータの長手方向両端部及び幅方向両端部の外側に位置している、吸収性物品。
【請求項２】
前記非透水性シートの幅方向両端部及び長手方向両端部は、いずれも、前記インジケータの幅方向両端部及び長手方向両端部から、５．０ｍｍ以上外側に位置している、請求項１に記載の吸収性物品。
【請求項３】
前記非透水性シートの幅方向の寸法が、４ｍｍ以上３０ｍｍ以下である、請求項１又は２に記載の吸収性物品。
【請求項４】
前記非透水性シートが、ポリエチレンシートである、請求項１から３のいずれかに記載の吸収性物品。
【請求項５】
前記非透水性シートは、前記キャリアシートとホットメルトで接合される、請求項１から４のいずれかに記載の吸収性物品。
【請求項６】
前記非透水性シートの坪量は、１０ｇ／ｍ２以上２５ｇ／ｍ２以下である、請求項１から５のいずれかに記載の吸収性物品。
【請求項７】
前記キャリアシートは、ティシュ又はスパンボンド不織布である、請求項１から６のいずれかに記載の吸収性物品。
【発明の詳細な説明】
【技術分野】
【０００１】
本発明は、水分反応性のインジケータを有する吸収性物品に関する。
【背景技術】
【０００２】
一般に吸収性物品は、液透過性のトップシートと、液不透過性のバックシートと、トップシート及びバックシートの間に配置された吸収体と、で構成されており、これにより、尿や血液等の体液は、トップシートを通って吸収体に吸収される。ここで、従来、テープ止めタイプ又はパンツタイプの乳幼児用の紙おむつ等の吸収性物品には、排尿した際に体液の水分が反応して変色するインジケータが用いられている。吸収性物品がインジケータを備えていることにより、乳幼児用の吸収性物品の交換時期を把握することができる。
【０００３】
しかしながら、吸収性物品の性質及び吸収性物品が置かれる環境によっては、使用前にもかかわらず、インジケータの一部が変色してしまうことがあり、インジケータとしての機能を十分に発揮できないことがあった。
【０００４】
よって、インジケータを備える吸収性物品において、吸収性物品の使用前にインジケータが変色することを防止する手段が検討されている。例えば特許文献１には、インジケータが吸収体へ移行するのを防止するために、吸収体とキャリアシートの間に親水性の繊維不織布を配置する吸収性物品が開示されている。また、特許文献２には、インジケータを覆ってインジケータとキャリアシートとが接触しないように、透液性且つ撥水性を有する不織布等によって、構成された被覆層を有する吸収性物品が開示されている。特許文献３には、親水性樹脂塗工層とお知らせマークとにより構成されるインジケータを具備し、吸収体の身体側に親水性樹脂途工層、お知らせマークが重畳され、親水性途工層が設けられた部分はその他の部分よりも透湿性が低いことを特徴とする吸収性物品が開示されている。
【先行技術文献】
【特許文献】
【０００５】
【特許文献１】特許第５５９１０１８号公報
【特許文献２】特許第４７０９６４６号公報
【特許文献３】特許第４５５８３５６号公報
【発明の概要】
【発明が解決しようとする課題】
【０００６】
しかしながら、特許文献１から３のいずれの吸収性物品においても、使用前のインジケータの変色の問題に十分に対応するものではなく、使用前にインジケータの一部が変色してしまうことがあった。また、吸収性物品の使用前のインジケータの変色を防止しようとするが故に、本来のインジケータの機能が低下する可能性があった。したがって、本発明は、以上の課題に鑑みてなされたものであり、本来のインジケータの機能を維持しつつ、吸収性物品の使用前にインジケータの一部が変色することを防止することができる、簡便かつ低コストな吸収性物品を提供することである。
【課題を解決するための手段】
【０００７】
本発明の発明者らは、上記課題に鑑み、鋭意研究を行った。その結果、吸収性物品の使用前にインジケータの一部が変色する現象は、吸収体中の粒度の小さい高吸水性ポリマー（ＳＡＰ）が、吸収体を覆うキャリアシートを通過した後に、インジケータに接触し、かつ、その状態において紙おむつが高湿度環境下に置かれたときに、インジケータに接触しているＳＡＰが吸湿し、吸湿したＳＡＰとインジケータが反応することによって起こることを見出した。よって、本発明の発明者らは、ＳＡＰがインジケータに接触することを防止することに着目し、吸収体を覆うキャリアシートと、バックシートの身体側表面に形成された水分反応性のインジケータと、キャリアシートの身体側表面に接合された非透水性シートと、を有し、インジケータ及び非透水性シートが所定の寸法及び位置関係である、吸収性物品によれば、上記の課題を解決できることを見出し、本発明を完成するに至った。具体的には、本発明は以下のものを提供する。
【０００８】
（１）本発明の第１の態様は、液透過性のトップシートと、液不透過性のバックシートと、前記トップシート及び前記バックシートの間に配置される吸収体と、を有する吸収性物品であって、前記吸収性物品は、前記吸収体を覆うキャリアシートと、前記バックシートの身体側表面に形成された水分反応性のインジケータと、前記キャリアシートの身体側表面に接合された非透水性シートと、を有し、前記非透水性シートの長手方向及び幅方向の寸法は、前記インジケータの長手方向及び幅方向の寸法よりも、それぞれ大きく、前記非透水性シートの幅方向両端部及び長手方向両端部は、いずれも、前記インジケータの長手方向両端部及び幅方向両端部の外側に位置している、吸収性物品である。
【０００９】
（２）本発明の第２の態様は、（１）に記載の吸収性物品であって、前記非透水性シートの幅方向両端部及び長手方向両端部は、いずれも、前記インジケータの幅方向両端部及び長手方向両端部から、５．０ｍｍ以上外側に位置していることを特徴とするものである。
【００１０】
（３）本発明の第３の態様は、（１）又は（２）に記載の吸収性物品であって、前記非透水性シートの幅方向の寸法が、４ｍｍ以上３０ｍｍ以下であることを特徴とするものである。
【００１１】
（４）本発明の第４の態様は、（１）から（３）のいずれかに記載の吸収性物品であって、前記非透水性シートが、ポリエチレンシートであることを特徴とするものである。
【００１２】
（５）本発明の第５の態様は、（１）から（４）のいずれかに記載の吸収性物品であって、前記非透水性シートは、前記キャリアシートとホットメルトで接合されることを特徴とするものである。
【００１３】
（６）本発明の第６の態様は、（１）から（５）のいずれかに記載の吸収性物品であって、前記非透水性シートの坪量は、１０ｇ／ｍ２以上２５／ｍ２以下であることを特徴とするものである。
【００１４】
（７）本発明の第７の態様は、（１）から（６）のいずれかに記載の吸収性物品であって、前記キャリアシートは、ティシュ又はスパンボンド不織布であることを特徴とするものである。
【発明の効果】
【００１５】
本発明の吸収性物品は、バックシートの身体側表面に形成された水分反応性のインジケータと、キャリアシートの身体側表面に接合された非透水性シートと、を有する。したがって、体液が排泄された時には、水分がキャリアシートを介してインジケータに伝わることで、インジケータが変色し、非透水性シートを有していてもインジケータの本来の機能を維持することができる。また、非透水性シートの長手方向及び幅方向の寸法は、インジケータの長手方向及び幅方向の寸法よりも、それぞれ大きく、非透水性シートの幅方向両端部及び長手方向両端部は、いずれも、インジケータの長手方向両端部及び幅方向両端部の外側に位置している。このため、吸収体に含まれる粒度の小さいＳＡＰが、インジケータに接触することを防止することができ、吸収性物品を使用する前にインジケータの一部が変色することを防止することができる。また、本発明の吸収性物品に使用される部材は特殊なものではないため、簡便かつ低コストな吸収性物品を提供できる。
【図面の簡単な説明】
【００１６】
【図１】本発明の実施形態に係る吸収性物品をテープ止め紙おむつとする場合に、トップシート側から見た平面図である。
【図２】図１のＸ１−Ｘ１線における略示断面図である。
【発明を実施するための形態】
【００１７】
以下、図１及び図２を参照して、本発明の実施形態に係る吸収性物品１として、テープ止め紙おむつを例に詳細に説明する。なお、吸収性物品としては、ベビー用又は成人用を問わず、軽失禁パッド、パンツ型紙おむつ、テープ止め紙おむつ、その他の吸収性物品であってもよく、特に限定されるものではない。本実施形態の説明においては、全体を通して同じ要素には同じ符号を付している。本明細書における以下の説明において、体液とは、尿、血液、軟便中の水分等の体内から体外に排出される液体をいう。なお、本明細書の説明において、吸収性物品１の長手方向とは、吸収性物品１が着用されたときに着用者の前後に亘る方向であり、図中、符号Ｙで示す方向である。また、吸収性物品１の幅方向とは、長手方向に対して横又は直交する方向であり、図中、符号Ｘで示す方向である。さらに、本明細書において、吸収性物品１の身体側表面とは、吸収性物品１の着用時に着用者の肌に当接する表面を指し、衣類側表面とは、吸収性物品１の着用時に着用者の衣類に接触する表面を指す。
【００１８】
＜吸収性物品＞
図１は、本発明の実施形態に係る吸収性物品１をテープ止め紙おむつとする場合に、トップシート側から見た平面図である。また、図２は、図１のＸ１−Ｘ１線における吸収性物品１の略示断面図である。図１及び図２に示すように、吸収性物品１は、身体側に配された液透過性のトップシート２１と、トップシート２１に対向して配置された液不透過性のバックシート２３と、トップシート２１とバックシート２３との間に配置された吸収体２２と、を備える。これにより、吸収体２２は、トップシート２１とバックシート２３の間に挟まれた構造となる。また、吸収体２２は後述するキャリアシート２５に覆われている。さらに、吸収性物品１は、後述する所定のインジケータ２７及び非透水性シート２６を備えている。
【００１９】
［トップシート］
トップシート２１は、体液が吸収体２２へと移動するような液透過性を備えた基材から形成されればよく、例えば、エアスルー不織布、サーマルボンド不織布、スパンボンド不織布等の不織布、サーマルボンド／スパンボンドを積層した複合不織布、開口ポリエチレンフィルム等の開口性フィルム、ポリエチレンフォーム、ウレタンフォーム等の発泡フィルム、あるいは、これらを積層した複合シートといった材料から形成される。また、トップシート２１には、液透過性を向上させるために、表面にエンボス加工や穿孔加工を施してもよい。これらのエンボス加工や穿孔加工を施すための方法としては、公知の方法を制限なく実施することができる。また、肌への刺激を低減させるため、トップシート２１には、ローション、酸化防止剤、抗炎症成分、ｐＨ調整剤、抗菌剤、保湿剤等を含有させてもよい。
【００２０】
強度、加工性及び液戻り量の点から、トップシート２１の坪量は、１８ｇ／ｍ２以上４０ｇ／ｍ２以下であることが好ましい。トップシート２１の形状としては特に制限はないが、漏れがないように体液を吸収体２２へと誘導するために必要とされる、吸収体２２を覆う形状であればよい。
【００２１】
［吸収体］
吸収体２２は、基材としての吸収性繊維と、高吸水性ポリマー（ＳＡＰ）と、を含有する。なお、吸収体２２は、単層であっても複層であってもよい。
【００２２】
（吸収性繊維）
吸収性繊維は、一般に生理用ナプキンや紙おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。フラッフパルプとしては、木材パルプ（例えば、サウザンパインやダグラスファー等の針葉樹晒クラフトパルプ（Ｎ−ＢＫＰ））、合成繊維、樹脂繊維、非木材パルプ等を綿状に解繊したものを挙げることができる。吸収体２２に、基材としての吸収性繊維にフラッフパルプを用いた場合、吸収性繊維の坪量は、吸収体２２の全体で、１００ｇ／ｍ２以上８００ｇ／ｍ２以下であることが好ましい。これにより、肌触りを損なわずに、より多くの体液を吸収させることができる。
【００２３】
（ＳＡＰ）
吸収体２２のＳＡＰとしては、体液を吸収し、かつ、逆流を防止できるものであれば特に制限はなく、ポリアクリル酸ナトリウム系共重合体、ポリアスパラギン酸塩系共重合体、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系共重合体が好ましい。
【００２４】
吸収体２２に含有されるＳＡＰの坪量は、吸収体２２全体で、５０ｇ／ｍ２以上５００ｇ／ｍ２以下であることが好ましい。また、ＳＡＰの重量は、吸収体全体に対して、１５質量％以上５０％質量％以下であることが好ましい。上記の数値範囲内とすることで、吸収体２２におけるゲルブロッキングを防止し、かつ、吸収体２２において多量の体液を吸収させることができる。
【００２５】
吸収体２２において、吸収性繊維及びＳＡＰの形態は、吸収性繊維中にＳＡＰ粒子を混合して形成したもの、又は吸収性繊維間にＳＡＰ粒子を固着したＳＡＰシートであることが好ましい。
【００２６】
［キャリアシート］
また、本発明の吸収性物品１は、図２に示すように、ＳＡＰ粒子の漏洩防止や吸収体２２の形状の安定化の目的から、吸収体２２を覆うキャリアシート２５を有する。キャリアシート２５の基材としては親水性を有するものであればよく、ティシュ、吸収紙、スパンボンド不織布、エアレイド不織布等の親水性不織布を挙げることができるが、インジケータ２７への水分の伝達及びコストの観点から、本発明においては、ティシュ又はスパンボンド不織布であることが好ましい。キャリアシート２５を複数備える場合は、キャリアシート２５の基材は同一のものであっても異なるものであってもよい。
【００２７】
［バックシート］
バックシート２３は、吸収体２２が保持している体液が衣類を濡らさないような液不透過性を備えた基材を用いて形成されればよく、樹脂フィルムや、樹脂フィルムと不織布とを積層した複合シートといった材料から形成される。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。また、樹脂フィルムとしては、例えば、ポリエステル、ポリビニルアルコール、ポリエチレン、ポリプロピレン、ポリエチレンとポリプロピレンの複合フィルム等が挙げられる。
【００２８】
強度及び加工性の点から、バックシート２３の坪量は、１５ｇ／ｍ２以上４０ｇ／ｍ２以下であることが好ましい。また、装着時の蒸れを防止するため、バックシート２３には、通気性を持たせることが好ましい。バックシート２３に通気性を備えさせるためには、例えば、基材の樹脂フィルムにフィラーを配合したり、バックシート２３に穿孔のためにエンボス加工を施したりすればよい。なお、フィラーとしては炭酸カルシウムを挙げることができ、その配合方法は、公知の方法を制限なく行うことができる。
【００２９】
（サイドフラップ）
本発明の吸収性物品１は、バックシート２３の腹側部及び背側部の幅方向両側部に、少なくとも一対のサイドフラップ２８を形成してもよい。また、背側部のサイドフラップ２８それぞれの、自由端側の幅方向縁部にはサイドパネル２８１を、サイドパネル２８１の自由端側の幅方向縁部には２つのファスニングテープ２８２を設けてもよい。また、サイドパネル２８１とファスニングテープ２８２とは、別々の部材により形成されたものに限定されず、両者が一体となって形成されたものであってもよい。ファスニングテープ２８２は身体側に、腹側部と背側部とを締結するための面ファスナーを構成するフック部材からなる締結手段２８３を設けるとともに、締結手段２８３の自由端側の各ファスニングテープ２８２の先端部には、つまみしろ２８４を設けてもよい。一方、腹側部の衣類側表面には、面ファスナーを構成するループ部材で形成されたターゲットテープ（図示しない）を設けてもよく、吸収性物品１を着用者に装着した状態では、締結手段２８３がループ部材であるターゲットテープに固定される。これにより、本発明の吸収性物品１をテープ止め紙おむつの構成とすることができる。
【００３０】
なお、サイドフラップ２８の基材としては、ポリエチレン、ポリプロピレン、ポリスチレン等からなる不織布を挙げることができ、これらの基材を単独で、あるいは複数組み合わせてもよい。また、サイドパネル２８１及びファスニングテープ２８２の基材としては、ポリエチレン、ポリプロピレン、ポリスチレン等からなる樹脂フィルムや不織布を挙げることができ、これらの基材を単独で、あるいは複数組み合わせてもよい。また、フック部材とは、面ファスナーを構成する部材のうち、フック状に立体成型若しくは起毛された部材を指し、ループ部材とは、フック部材と対を成す部材であって、ループ状に密集して起毛された部材を指す。面ファスナーは、このフック部材とループ部材とが対となって構成されている。吸収性物品１を着用する場合、背側部を着用者の背部にあてた状態で、腹側部を着用者の腹部側に持っていき、ファスニングテープ２８２をターゲットテープに締結することで、着用者に装着させることができる。
【００３１】
（立体ギャザー）
図１及び図２に示すように、吸収性物品１には、使用者の排泄した体液の横漏れを防止するため、吸収性物品１の長手方向に沿って、トップシート２１上に、立体ギャザー用弾性部材２４１と立体ギャザーシート２４２を有する一対の立体ギャザー２４を備えていてもよい。立体ギャザー２４は、吸収性物品１の幅方向端部（固定端）において、バックシート２３に固定されており、自由端側は、端部にて二つ折りにされていることが好ましい。そして、立体ギャザー用弾性部材２４１は、二つ折りにされた自由端側の立体ギャザーシート２４２に挟持されていることが好ましい。これにより、立体ギャザー２４が起立性を有し、着用者の体型に合わせて変形可能なものとすることができる。
【００３２】
立体ギャザー用弾性部材２４１としては、例えば、ポリウレタン糸、帯状のポリウレタンフィルム、合成ゴム、糸状又は帯状の天然ゴム等が使用され、立体ギャザーシート２４２としては、疎水性繊維にて形成された撥水性又は液不透過性の不織布、例えば、スパンボンド不織布やメルトブロー不織布、スパンボンド／メルトブロー／スパンボンドを積層した複合不織布等が使用される。立体ギャザー用弾性部材２４１の太さは、６２０ｄｔｅｘ以下であることが好ましい。
【００３３】
（レッグギャザー）
図１に示すように、本発明の吸収性物品１は、吸収性物品１の腹側部から背側部に亘って、左右一対のレッグギャザー２９を設けてもよい。レッグギャザー２９は、例えば、糸ゴムなどの弾性部材と不織ウェブ等のシートによって形成される。レッグギャザー２９を設けることにより、股下周りの部位におけるフィット感を向上させることができる。
【００３４】
（ウエストギャザー）
図４に示すように、本発明の吸収性物品１は、吸収性物品１を着用者のウエストの周囲に接するように形成され、吸収性物品１の長手方向両端部がウエスト部に密着するように構成されたウエストギャザー３０を設けてもよい。ウエストギャザー３０は、糸状、ストリップ状、ウエストベルト状などの如何なる形状でもよく、吸収性物品１の長手方向よりも幅方向に沿って配置され、吸収性物品１の伸縮特性を制御するものである。ウエストギャザー３０としては、例えば、単数又は複数の糸ゴム、不織ウェブに糸ゴムが固着されたウエストベルト、エラストマーフィルム、弾性発泡材、エラストマー布などの任意の弾性収縮材料を用いることができる。
【００３５】
［インジケータ］
本発明の吸収性物品１は、バックシート２３の身体側表面に形成された水分反応性のインジケータ２７を有する。インジケータ２７は体液で濡れると変色するために、体液が排泄されたことを外部から識別可能になる。インジケータ２７は、図２に示すように、非透水性シート２６に周囲を完全に覆われたものではないため、体液が排泄された時には、水分がキャリアシート２５を介してインジケータ２７に伝わることで、インジケータ２７が変色し、非透水性シート２６を有してもインジケータ２７の本来の機能を維持することができる。インジケータ２７は、バックシート２３の幅方向中心部において、長手方向に直線状に延在するように複数本設けてもよい。インジケータ２７は、例えば、ポリエチレングリコールやグリセリン等のベースポリマーに、エチルレッド、ブロモフェノールブルー等の指示剤、ワックス等の接着剤を混合してホットメルトで接着したものであってもよい。
【００３６】
［非透水性シート］
本発明の吸収性物品１は、図２に示すように、キャリアシート２５の身体側表面に接合された非透水性シート２６を有する。また、非透水性シート２６の長手方向及び幅方向の寸法は、前記インジケータの長手方向及び幅方向の寸法よりもそれぞれ大きく、非透水性シート２６の幅方向両端部及び長手方向両端部は、いずれも、インジケータ２７の長手方向両端部及び幅方向両端部の外側に位置している。このため、吸収体２２に含まれる粒度の小さいＳＡＰが、インジケータ２７に接触することを防止することができ、吸収性物品１を使用する前にインジケータ２７の一部が変色することを防止することができる。
【００３７】
また、非透水性シート２６の幅方向両端部及び長手方向両端部は、いずれも、インジケータ２７の幅方向両端部及び長手方向両端部から、５．０ｍｍ以上外側に位置していることが好ましい。また、非透水性シート２６の幅方向の寸法が、４ｍｍ以上３０ｍｍ以下であることが好ましく、１０ｍｍ以上２０ｍｍ以下であることがより好ましい。このように、非透水性シート２６の位置及び寸法を設けることで、インジケータ２７の本来の機能を維持しつつ、吸収体２２に含まれる粒度の小さいＳＡＰが、インジケータ２７に接触することを効果的に防止できる。
【００３８】
非透水性シート２６は、非透水性を備えた基材を用いて形成されればよく、樹脂フィルムや、樹脂フィルムと不織布とを積層した複合シートといった材料から形成される。また、樹脂フィルムとしては、例えば、ポリエステル、ポリビニルアルコール、ポリエチレン、ポリプロピレン、ポリエチレンとポリプロピレンの複合フィルム等が挙げられるが、本発明においては、非透水性に優れるポリエチレンシートが好ましい。複合シートに用いられる不織布としては、製法を特に限定せず、例えば、スパンボンド不織布やメルトブロー不織布、あるいは、スパンボンド／メルトブロー、スパンボンド／メルトブロー／スパンボンドを積層した複合不織布及びこれらの複合材料が挙げられる。
【００３９】
非透水性シート２６をキャリアシート２５と接合する基材は、特に限定されないが、ホットメルトで接合されていることが好ましい。また、強度及び加工性の点から、非透水性シート２６の坪量は、１０ｇ／ｍ２以上２５ｇ／ｍ２以下であることが好ましく、１２ｇ／ｍ２以上２２ｇ／ｍ２以下であることがより好ましく、１４ｇ／ｍ２以上２０ｇ／ｍ２以下であることがさらに好ましい。
【００４０】
なお、上記したとおり、本発明の吸収性物品１はパンツ型紙おむつであってもよい。その場合、吸収性物品１は、吸収性本体、内装体及び外装体を有することになるが、内装体及び外装体に用いられる基材としては、サーマルボンド不織布、スパンボンド不織布が使用できる。また、内装体及び外装体の坪量は、１５ｇ／ｍ２以上４０ｇ／ｍ２以下であることが好ましい。
【００４１】
［吸収性物品の製造方法］
吸収性物品１をテープ止め紙おむつとする場合の製造方法は、周知の方法を採用することがでる。例えば、非透水性シート２６をあらかじめ接合させたキャリアシート２５で覆った吸収体２２を、立体ギャザー２４を配置したトップシート２１と、ウエストギャザー３０、レッグギャザー２９、サイドフラップ２８を配置したバックシート２３とを一体化させ、折りたたんでのち全体を所定の長さに切断して製造する。各部材を一体化させる手段としては、ホットメルト接着剤やヒートエンボス、超音波エンボス、高周波エンボス等を用いることができる。ファスニングテープ２８２は、あらかじめ、これを構成する基材に締結手段２８３を接着し、所定の形状に切断して、バックシート２３に接合することが好ましい。なお、バックシート２３の身体側表面にはインジケータ２７をあらかじめ施している。吸収性物品１をパッケージ等に収納するにあたっては、吸収性物品１を長手方向及び幅方向に折りたためばよい。
【実施例】
【００４２】
以下、本発明について、実施例を挙げて詳細に説明する。なお、本発明は、以下に示す実施例に何ら限定されるものではない。
【００４３】
＜実施例１＞
（吸収性物品）
パルプシートを粉砕して解繊したフラッフパルプ９ｇとＳＡＰ８ｇを、積繊して吸収体を作製した。この吸収体をあらかじめ非透水性シートを身体側表面に接合させたキャリアシートで包み、トップシート及びバックシートとともに積層するとともに、立体ギャザー、レッグギャザー、ウエストギャザー、サイドフラップを形成した長手方向の寸法が４５０ｍｍ、幅２８０ｍｍのテープ止め紙おむつを作製し、実施例１の吸収性物品とした。なお、バックシートの身体側表面には、長手方向の寸法が２００ｍｍ、幅方向の寸法が７.５ｍｍのインジケータが設けられており、非透水性シートの幅方向両端部及び長手方向両端部は、いずれもインジケータの長手方向両端部及び幅方向両端部の外側に位置するように形成した。なお、トップシートには、エアスルー不織布（坪量２０ｇ／ｍ２）を用い、バックシートには、非通気性のポリエチレンシート（坪量１８ｇ／ｍ２）を用いた。さらに、評価結果の明確化のために、あらかじめ吸収体と非肌当接側の非透水性シートの間にランダムにＳＡＰを１ｇ配置した。得られた吸収性物品のインジケータの変色評価を行った。
【００４４】
（変色評価）
得られた吸収性物品を、高湿高温槽を用いて、温度５０℃、湿度７０％の条件下でセットした。その間、1枚に付き、１ｋｇの荷重をかけた。２４時間経過後、目視にてインジケータの変色状態を確認し、変色がなかったときを「〇」、部分的な変色があったときを「△」、全体的な変色があったときを「×」とした。
【００４５】
作製した実施例１の吸収性物品の構成及び変色評価の結果をまとめたものが表１である。
【００４６】
＜実施例２＞
実施例２の吸収性物品を、実施例１の吸収性物品の作製方法と基本的には同様の作製方法で作製し、実施例１の吸収性物品と異なる構成に係る部分及び変色評価の結果を表１にまとめた。
【００４７】
＜比較例１及び２＞
比較例１及び２の吸収性物品を、実施例１及び２の吸収性物品の作製方法と基本的には同様の作製方法で作製し、異なる構成に係る部分及び変色評価の結果を表１にまとめた。
【００４８】
【表１】
2018102870.tif 000003
【００４９】
実施例１及び２に示す吸収性物品は、非透水性シートを有し、非透水性シートの長手方向及び幅方向の寸法は、インジケータの長手方向及び幅方向の寸法よりも、それぞれ大きく、ＳＡＰがインジケータに接触しないため、インジケータの炎色は見られなかった。
【００５０】
比較例１に示す吸収性物品は、非透水性シートの長手方向及び幅方向の寸法が、インジケータの長手方向及び幅方向の寸法よりも、それぞれ小さく、非透水性シートとインジケータが重なっていない部分が発生し、その部分にＳＡＰが接触し、当該ＳＡＰが吸湿することによって変色が見られた。
【００５１】
また、比較例２に示す吸収性物品は、非透水性シートが無いため、ＳＡＰはインジケータに接触し、当該ＳＡＰが吸湿することによって、変色が見られた。
【符号の説明】
【００５２】
１      吸収性物品
２１    トップシート
２２    吸収体
２３    バックシート
２４    立体ギャザー
２４１  立体ギャザー用弾性部材
２４２  立体ギャザーシート
２５    キャリアシート
２６    非透水性シート
２７    インジケータ
２８    サイドフラップ
２８１  サイドパネル
２８２  ファスニングテープ
２８３  締結手段
２８４  つまみしろ
２９    レッグギャザー
３０    ウエストギャザー
【図１】
2018102870.tif 000004
【図２】
2018102870.tif 000005